(57)【要約】【課題】停電したときには適切に点灯することができる照明システムを提供する。【解決手段】照明システム１００では、リモコン装置３００は、商用電源の停電を検知する停電検知部３０５と、停電が検知された場合に、切替信号を送信する送信制御部３０２と、停電が検知された場合には、揺れを検知せず、停電が検知されていない場合に、揺れを検知する振動センサ３０３とを備え、送信部制御部３０２は、さらに、揺れが検知されたときに、切替信号を送信し、照明装置１００は、発光部１０１と、蓄電池１０３と、蓄電池１０３の電力に基づいて、切替信号を受信する受信部１０６と、電力が商用電源Ｐから供給されている場合には、商用電源Ｐの電力で発光部１０１を点灯させ、電力が商用電源Ｐから供給されておらず、且つ、切替信号が受信された場合には、蓄電池１０３の電力で発光部１０１を点灯させる点灯制御部１０５とを備える。【選択図】図４
2020167150.tif 000002
【特許請求の範囲】
【請求項１】
照明装置と、前記照明装置を遠隔操作するためのリモコン装置とからなる照明システムであって、
前記リモコン装置は、
コンセントを介して商用電源の停電を検知する停電検知部と、
前記停電検知部によって停電が検知された場合に、切替信号を送信する送信部と、
前記停電検知部によって停電が検知された場合には、揺れを検知せず、前記停電検知部によって停電が検知されていない場合に、揺れを検知する第１の振動センサとを備え、
前記送信部は、さらに、前記第１の振動センサによって揺れが検知されたときに、前記切替信号を送信し、
前記照明装置は、
発光部と、
前記商用電源から供給される電力を受け付ける給電部と、
前記商用電源によって充電される蓄電池と、
前記蓄電池からの電力に基づいて、前記リモコン装置からの切替信号を受信する受信部と、
電力が前記商用電源から供給されている場合には、前記商用電源からの電力に基づいて前記発光部を点灯させ、電力が前記商用電源から供給されておらず、且つ、前記切替信号が前記受信部によって受信された場合には、前記蓄電池からの電力に基づいて前記発光部を点灯させる点灯制御部とを備える
照明システム。
【請求項２】
前記リモコン装置は、
さらに、前記商用電源と蓄電池との切り替えによって選択された電源から供給される電力に基づいて点灯する他の照明装置に対して、前記切替信号を送信する
請求項１に記載の照明システム。
【請求項３】
前記リモコン装置は、
前記コンセントに差し込まれる差込プラグと、
他の差込プラグを前記商用電源に接続するための少なくとも１つのプラグ受けとを備える
請求項１または２に記載の照明システム。
【請求項４】
前記照明装置は、さらに、
煙を検知する煙センサを備え、
前記点灯制御部は、
前記煙センサによって煙が検知されたときに、前記発光部を点灯させる
請求項１〜３の何れか１項に記載の照明システム。
【請求項５】
前記照明装置は、さらに、
揺れを検知する第２の振動センサを備え、
前記点灯制御部は、
前記第２の振動センサによって揺れが検知されたときに、前記発光部を点灯させる
請求項１〜４の何れか１項に記載の照明システム。
【請求項６】
照明装置を遠隔操作するためのリモコン装置であって、
コンセントを介して商用電源の停電を検知する停電検知部と、
前記停電検知部によって停電が検知された場合に、前記商用電源と蓄電池との切り替えによって選択された電源から供給される電力に基づいて点灯する前記照明装置に対して、前記電源を前記蓄電池に切り替えさせるための切替信号を、前記照明装置に送信する送信部と、
前記停電検知部によって停電が検知された場合には、揺れを検知せず、前記停電検知部によって停電が検知されていない場合に、揺れを検知する振動センサとを備え、
前記送信部は、さらに、前記振動センサによって揺れが検知されたときに、前記切替信号を送信する、
リモコン装置。
【発明の詳細な説明】
【技術分野】
【０００１】
本発明は、照明装置、または照明装置を含むシステムなどに関する。
【背景技術】
【０００２】
従来、コンセントに接続されたときには外部電源によって点灯し、コンセントから外れたときには充電式電池によって点灯する照明装置（多機能照明具）が提案されている（特許文献１参照）。また、この照明装置は人検知センサを備えている。つまり、この照明装置は、コンセントに接続されている状態で、その人検知センサによって人が検知されたときに点灯するフットライトとして構成されている。さらに、この照明装置は、コンセントに接続されている状態で、外部電源の停電を感知したときには、充電式電池によって点灯する。
【先行技術文献】
【特許文献】
【０００３】
【特許文献１】特開２００３−１４１９１４号公報
【発明の概要】
【発明が解決しようとする課題】
【０００４】
しかしながら、上記特許文献１の照明装置では、外部電源による点灯と消灯との切り替えをユーザによる遠隔からの操作に応じて行うことができないという課題がある。外部電源である商用電源による点灯と消灯との切り替えを行うためには、一般的には壁スイッチが用いられる。つまり、壁スイッチの操作によって点灯と消灯との切り替えを行う照明装置として、上記特許文献１の照明装置を用いようとすると、この照明装置は、壁スイッチのオフによって停電を検知してしまう。したがって、上記特許文献１の照明装置では、壁スイッチがオフされても点灯してしまい、商用電源による点灯と消灯との切り替えを、ユーザによる遠隔からの操作に応じて行うことができない。
【０００５】
そこで、本発明は、停電していないときには、商用電源による点灯と消灯との切り替えを、ユーザによる遠隔からの操作に応じて行うことができるとともに、停電したときには適切に点灯することができる照明システムなどを提供することを目的とする。
【課題を解決するための手段】
【０００６】
上記目的を達成するために、本発明に係る照明システムの一態様は、照明装置と、前記照明装置を遠隔操作するためのリモコン装置とからなる照明システムであって、前記リモコン装置は、コンセントを介して商用電源の停電を検知する停電検知部と、前記停電検知部によって停電が検知された場合に、切替信号を送信する送信部と、前記停電検知部によって停電が検知された場合には、揺れを検知せず、前記停電検知部によって停電が検知されていない場合に、揺れを検知する第１の振動センサとを備え、前記送信部は、さらに、前記第１の振動センサによって揺れが検知されたときに、前記切替信号を送信し、前記照明装置は、発光部と、前記商用電源から供給される電力を受け付ける給電部と、前記商用電源によって充電される蓄電池と、前記蓄電池からの電力に基づいて、前記リモコン装置からの切替信号を受信する受信部と、電力が前記商用電源から供給されている場合には、前記商用電源からの電力に基づいて前記発光部を点灯させ、電力が前記商用電源から供給されておらず、且つ、前記切替信号が前記受信部によって受信された場合には、前記蓄電池からの電力に基づいて前記発光部を点灯させる点灯制御部とを備える。
【発明の効果】
【０００７】
本発明によれば、停電していないときには、商用電源による点灯と消灯との切り替えを、ユーザによる遠隔からの操作に応じて行うことができるとともに、停電したときには適切に点灯することができる。
【図面の簡単な説明】
【０００８】
【図１】実施の形態における照明システムの構成を示す図である。
【図２Ａ】実施の形態におけるリモコン装置の背面側の斜視図である。
【図２Ｂ】実施の形態におけるリモコン装置がコンセントに差し込まれている様子を示す図である。
【図３】実施の形態におけるリモコン装置の正面側の斜視図である。
【図４】実施の形態における照明装置およびリモコン装置の構成を示すブロック図である。
【図５】実施の形態における照明装置の点灯制御部の処理動作を示すフローチャートである。
【図６】実施の形態におけるリモコン装置の送信制御部の処理動作を示すフローチャートである。
【図７】その他の実施の形態におけるアラーム音に応じて点灯する照明装置と複数の周辺機器とを示す図である。
【図８】その他の実施の形態における照明装置の外観構成の一例を示す図である。
【図９Ａ】その他の実施の形態における照明装置の外観構成の他の例を示す図である。
【図９Ｂ】その他の実施の形態における照明装置の外観構成の他の例を示す図である。
【図９Ｃ】その他の実施の形態における照明装置の外観構成の他の例を示す図である。
【発明を実施するための形態】
【０００９】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
（実施の形態）
図１は、本実施の形態における照明システムの構成を示す図である。
【００１２】
この照明システム１０００は、少なくとも１つの照明装置１００と、それらの照明装置１００を遠隔操作するためのリモコン装置３００とからなる。
【００１３】
少なくとも１つの照明装置１００は、例えば、部屋Ａに配設された３つの照明装置１００Ａと、部屋Ｂに配設された２つの照明装置１００Ｂとを含む。２つの壁スイッチ２００はそれぞれ、ユーザによる操作に応じて、接続状態を導通と非導通とに切り換える。また、２つの壁スイッチ２００のうちの壁スイッチ２００Ａは、商用電源Ｐと部屋Ａの３つの照明装置１００Ａのそれぞれとの間に接続されている。２つの壁スイッチ２００のうちの壁スイッチ２００Ｂは、商用電源Ｐと部屋Ｂの３つの照明装置１００Ｂのそれぞれとの間に接続されている。したがって、壁スイッチ２００Ａは、ユーザによる操作に応じて、部屋Ａの３つの照明装置１００Ａのそれぞれの状態を点灯と消灯とに切り替える。壁スイッチ２００Ｂは、ユーザによる操作に応じて、部屋Ｂの２つの照明装置１００Ｂのそれぞれの状態を点灯と消灯とに切り替える。
【００１４】
つまり、壁スイッチ２００Ａがユーザによって操作されることによってオン（導通）になると、商用電源Ｐからの電力が壁スイッチ２００Ａを介して部屋Ａの各照明装置１００Ａに供給される。その結果、各照明装置１００Ａは点灯する。一方、壁スイッチ２００Ａがユーザによって操作されることによってオフ（非導通）になると、商用電源Ｐから各照明装置１００Ａへの電力供給が、壁スイッチ２００Ａによって遮断される。その結果、各照明装置１００Ａは消灯する。
【００１５】
同様に、壁スイッチ２００Ｂがユーザによって操作されることによってオン（導通）になると、商用電源Ｐからの電力が壁スイッチ２００Ｂを介して部屋Ｂの各照明装置１００Ｂに供給される。その結果、各照明装置１００Ｂは点灯する。一方、壁スイッチ２００Ｂがユーザによって操作されることによってオフ（非導通）になると、商用電源Ｐから各照明装置１００Ｂへの電力供給が、壁スイッチ２００Ｂによって遮断される。その結果、各照明装置１００Ｂは消灯する。
【００１６】
リモコン装置３００は、例えば壁に配設されているコンセントを介して商用電源Ｐに接続される。そして、このように接続されたリモコン装置３００は、商用電源Ｐの停電を検知する。停電を検知したときには、リモコン装置３００は、各照明装置１００に対して、蓄電池からの電力供給のオンへの切り替えを指示する切替信号を、例えばＢｌｕｅｔｏｏｔｈ（登録商標）によって送信する。なお、リモコン装置３００は、後述するように、蓄電池からの電力供給のオフへの切り替えを指示する切替信号も送信する。したがって、切替信号のうち、蓄電池からの電力供給のオンへの切り替えを指示する切替信号を、以下、オン切替信号と称し、蓄電池からの電力供給のオフへの切り替えを指示する切替信号を、以下、オフ切替信号と称する。
【００１７】
各照明装置１００は、リモコン装置３００からオン切替信号を受信すると、そのオン切替信号に応じて点灯する。このとき、各照明装置１００は、それぞれに備えられた蓄電池からの電力に基づいて点灯する。
【００１８】
図２Ａは、リモコン装置３００の背面側の斜視図である。
【００１９】
リモコン装置３００は、図２Ａに示すように、コンセントに差し込まれる差込プラグ３０６を備える。この差込プラグ３０６の１対の栓刃３０６ａがコンセントの差込口に差し込まれる。
【００２０】
図２Ｂは、リモコン装置３００がコンセントに差し込まれている様子を示す図である。
【００２１】
リモコン装置３００に備えられている差込プラグ３０６の１対の栓刃３０６ａは、コンセントの差込口に差し込まれる。これにより、１対の栓刃３０６ａは、壁７０１に埋設されているプラグ受け７００に接続される。このように、差込プラグ３０６の１対の栓刃３０６ａがプラグ受け７００に接続されることによって、リモコン装置３００は、商用電源Ｐと電気的に接続し、壁スイッチ２００Ａ，２００Ｂの操作に関わらず、商用電源Ｐの停電を検知することができる。
【００２２】
図３は、リモコン装置３００の正面側の斜視図である。
【００２３】
リモコン装置３００は、上述のようにコンセントに差し込まれて用いられる。したがって、コンセントの差込口を塞いでしまう。そこで、リモコン装置３００は、他の機器の差込プラグを商用電源Ｐに接続するためのプラグ受け（差込口）３０７を備えている。したがって、リモコン装置３００がコンセントに差し込まれて、差込口を塞いでいるときでも、他の機器の差込プラグをプラグ受け３０７に差し込めば、他の機器は商用電源Ｐから供給される電力を利用することができる。
【００２４】
図４は、本実施の形態における照明装置１００およびリモコン装置３００の構成を示すブロック図である。
【００２５】
照明装置１００は、発光部１０１、給電部１０２、蓄電池１０３、充放電部１０３ａ、点灯制御部１０５、受信部１０６、煙センサ１０８、および振動センサ１０９を備える。
【００２６】
発光部１０１は、例えば少なくとも１つのＬＥＤ（Ｌｉｇｈｔ  Ｅｍｉｔｔｉｎｇ  Ｄｉｏｄｅ）素子からなるＬＥＤモジュールであり、点灯制御部１０５を介して供給される電力に応じて点灯する。具体的には、ＬＥＤ素子は、例えば、表面実装（ＳＭＤ：Ｓｕｒｆａｃｅ  Ｍｏｕｎｔ  Ｄｅｖｉｃｅ）型ＬＥＤ素子で構成される。なお、ＬＥＤ素子は、ＳＭＤ型ＬＥＤ素子でなくてもよく、基体に実装されたＬＥＤチップであってもよい。また、発光部１０１は、有機ＥＬ（Ｅｌｅｃｔｒｏ  Ｌｕｍｉｎｅｓｃｅｎｃｅ）素子など他の固体発光素子で構成されていてもよい。
【００２７】
給電部１０２は、商用電源Ｐから供給される電力を受け付ける。
【００２８】
蓄電池１０３は、商用電源Ｐによって充電される二次電池である。例えば、蓄電池１０３はリチウムイオン二次電池またはニッケル水素充電池である。なお、蓄電池１０３は、これら以外の他の二次電池であってもよい。
【００２９】
充放電部１０３ａは、給電部１０２および点灯制御部１０５を介して商用電源Ｐから供給される電力によって蓄電池１０３を充電する。さらに、充放電部１０３ａは、充電された蓄電池１０３を放電させることによって、その蓄電池１０３からの電力を点灯制御部１０５、受信部１０６、煙センサ１０８、および振動センサ１０９に供給する。したがって、点灯制御部１０５、受信部１０６、煙センサ１０８、および振動センサ１０９は、商用電源Ｐが停電していても、蓄電池１０３からの電力に基づいて駆動することができる。
【００３０】
煙センサ１０８は、例えば、煙による空気の電離状態の変化に応じてその煙を検出するイオン化式のセンサ、または、煙による光の乱反射または遮光によってその煙を検出する光電式のセンサである。なお、煙センサ１０８は、これら以外の方式で煙を検知してもよい。煙センサ１０８は、煙を検知すると煙検知信号を点灯制御部１０５に出力する。
【００３１】
振動センサ１０９は、例えば静電容量式、渦電流方式、または圧電効果などによって、揺れを検知する。振動センサ１０９は、揺れを検知すると揺れ検知信号を点灯制御部１０５に出力する。
【００３２】
上述の煙センサ１０８および振動センサ１０９は、それぞれ充放電部１０３ａを介して蓄電池１０３から供給される電力を用いて駆動する。つまり、これらのセンサ１０８，１０９は、蓄電池１０３の電力に基づいて待機していて、検知対象が発生した時点で、その検知対象を検知する。点灯制御部１０５は、これらのセンサ１０８，１０９からの信号を受けたときにも、その信号に応じて発光部１０１を点灯させたり消灯させたりする。
【００３３】
受信部１０６は、リモコン装置３００からの切替信号を受信し、その受信された切替信号を点灯制御部１０５に出力する。また、受信部１０６は、充放電部１０３ａを介して蓄電池１０３から供給される電力によって、切替信号を受信可能な状態で待機している。したがって、受信部１０６は、蓄電池１０３からの電力に基づいて、リモコン装置３００からの切替信号を受信する。
【００３４】
点灯制御部１０５は、壁スイッチ２００の状態（オンまたはオフ）に応じて、発光部１０１を点灯させたり消灯させたりする。つまり、壁スイッチ２００がユーザによって操作されることによってオン（導通）になると、点灯制御部１０５は、壁スイッチ２００および給電部１０２を介して供給される商用電源Ｐからの電力に基づいて、発光部１０１を点灯させる。一方、壁スイッチ２００がユーザによって操作されることによってオフ（非通電）になると、商用電源Ｐから点灯制御部１０５に供給される電力は、その壁スイッチ２００によって遮断される。したがって、このときには点灯制御部１０５は、発光部１０１を消灯させる。
【００３５】
また、点灯制御部１０５は、受信部１０６によって受信される切替信号に応じて、発光部１０１を点灯させたり消灯させたりする。さらに、点灯制御部１０５は、煙検知信号または揺れ検知信号を受信すると、発光部１０１を点灯させる。ここで、点灯制御部１０５は、切替信号（具体的には、オン切替信号）、煙検知信号または揺れ検知信号に応じて発光部１０１を点灯させるときには、蓄電池１０３からの電力に基づいて発光部１０１を点灯させる。なお、点灯制御部１０５は、商用電源Ｐからの電力に基づいて発光部１０１を点灯させるときには、商用電源Ｐからの電力を、発光部１０１の点灯に必要な電力に変換する。同様に、点灯制御部１０５は、蓄電池１０３からの電力に基づいて発光部１０１を点灯させるときには、蓄電池１０３から充放電部１０３ａを介して供給される電力を、発光部１０１の点灯に必要な電力に変換してもよい。
【００３６】
リモコン装置３００は、送信制御部３０２、振動センサ３０３、蓄電池３０４、充放電部３０４ａ、停電検知部３０５、差込プラグ３０６およびプラグ受け３０７を備える。
【００３７】
差込プラグ３０６は、上述のように、コンセントの差込口４００に差し込まれることによって商用電源Ｐに接続される。プラグ受け３０７は、他の差込プラグに差し込まれることによって、他の差込プラグを商用電源Ｐに接続させる。
【００３８】
蓄電池３０４は、蓄電池１０３と同様に、商用電源Ｐによって充電される二次電池である。
【００３９】
充放電部３０４ａは、差込プラグ３０６を介して商用電源Ｐから供給される電力によって蓄電池３０４を充電する。さらに、充放電部３０４ａは、充電された蓄電池３０４を放電させることによって、その蓄電池３０４からの電力を、送信制御部３０２および振動センサ３０３に供給する。
【００４０】
停電検知部３０５は、差込プラグ３０６を介して供給される電力に基づいて商用電源Ｐの停電を検知する。また、停電検知部３０５は、商用電源Ｐの停電を検知していないときには、通電信号を送信制御部３０２に出力し、停電を検知すると、通電信号の送信制御部３０２への出力を停止する。停電検知部３０５は、この通電信号によって、停電の有無を送信制御部３０２に通知する。
【００４１】
振動センサ３０３は、照明装置１００の振動センサ１０９と同様に構成され、揺れを検知すると、揺れ検知信号を送信制御部３０２に出力する。
【００４２】
送信制御部３０２は、停電検知部３０５からの通電信号に基づいて、停電検知部３０５によって停電が検知されたか否かを判定する。つまり、送信制御部３０２は、停電検知部３０５から受けている通電信号が途絶えると、停電が検知されたと判定し、蓄電池１０３からの電力供給のオンへの切り替えを指示する切替信号（オン切替信号）を照明装置１００に送信する。また、その通電信号が途絶えた後、再び通電信号を受けると、送信制御部３０２は、停電が検知されていない、または停電が復旧したと判定し、蓄電池１０３からの電力供給のオフへの切り替えを指示する切替信号（オフ切替信号）を照明装置１００に送信する。さらに、送信制御部３０２は、振動センサ３０３から揺れ検知信号を受けると、オン切替信号を照明装置１００に送信する。
【００４３】
このように、本実施の形態におけるリモコン装置３００の停電検知部３０５は、コンセントを介して商用電源Ｐの停電を検知する。したがって、停電検知部３０５は、壁スイッチ２００の状態に関わらず、商用電源Ｐの停電を適切に検知することができる。つまり、壁スイッチ２００がオフにされることによって停電を検知してしまうという誤検知を抑えることができる。これにより、停電したときには、照明装置１００は適切に点灯することができる。
【００４４】
図５は、点灯制御部１０５の処理動作を示すフローチャートである。
【００４５】
点灯制御部１０５は、商用電源Ｐからの電力供給があるか否かを判定する（ステップＳ１０１）。ここで、商用電源Ｐからの電力供給がないと判定すると（ステップＳ１０１のＮｏ）、点灯制御部１０５は、発光部１０１を消灯させる（ステップＳ１０２）。次に、点灯制御部１０５は、リモコン装置３００からのオン切替信号が受信部１０６によって受信されたか否かを判定する（ステップＳ１０３）。
【００４６】
ここで、点灯制御部１０５は、オン切替信号が受信されたと判定すると（ステップＳ１０３のＹｅｓ）、蓄電池１０３からの電力に基づいて発光部１０１を点灯させる。そして、点灯制御部１０５は、リモコン装置３００からのオフ切替信号が受信部１０６によって受信されたか否かを判定する（ステップＳ１０５）。点灯制御部１０５は、オフ切替信号が受信されたと判定すると（ステップＳ１０５のＹｅｓ）、蓄電池１０３からの電力供給をオフに切り替え、発光部１０１を消灯させる（ステップＳ１１０）。そして、点灯制御部１０５は、ステップＳ１０１からの処理を繰り返し実行する。
【００４７】
また、点灯制御部１０５は、オン切替信号が受信されていないとステップＳ１０３で判定すると（ステップＳ１０３のＮｏ）、さらに、煙センサ１０８からの煙検知信号に基づいて、煙が検知されたか否かを判定する（ステップＳ１０６）。さらに、点灯制御部１０５は、煙が検知されていないと判定すると（ステップＳ１０６のＮｏ）、振動センサ１０９からの揺れ検知信号に基づいて、揺れが検知されたか否かを判定する（ステップＳ１０７）。ここで、点灯制御部１０５は、揺れが検知されていないと判定すると（ステップＳ１０７のＮｏ）、ステップＳ１０１からの処理を繰り返し実行する。
【００４８】
また、点灯制御部１０５は、ステップＳ１０６またはＳ１０７において、検知されたと判定すると（ステップＳ１０６またはＳ１０７のＹｅｓ）、蓄電池１０３からの電力に基づいて発光部１０１を点灯させる（ステップＳ１０８）。さらに、点灯制御部１０５は、煙検知信号および揺れ検知信号に基づいて、煙および揺れの何れも検知されることなく所定時間が経過したか否かを判定する（ステップＳ１０９）。ここで、点灯制御部１０５は、所定時間が経過したと判定すると（ステップＳ１０９のＹｅｓ）、蓄電池１０３からの電力供給をオフに切り替え、発光部１０１を消灯させる（ステップＳ１１０）。そして、点灯制御部１０５は、ステップＳ１０１からの処理を繰り返し実行する。
【００４９】
図６は、リモコン装置３００の送信制御部３０２の処理動作を示すフローチャートである。
【００５０】
送信制御部３０２は、停電検知部３０５からの通電信号に基づいて、停電が検知されたか否かを判定する（ステップＳ２０１）。ここで、停電が検知されたと判定すると（ステップＳ２０１のＹｅｓ）、送信制御部３０２は、蓄電池１０３からの電力供給のオン切替信号を送信する（ステップＳ２０２）。さらに、送信制御部３０２は、停電検知部３０５からの通電信号に基づいて、停電が復旧したか否かを判定する（ステップＳ２０３）。つまり、送信制御部３０２は、途絶えていた通電信号を再び受けたときに、停電が復旧したと判定する。送信制御部３０２は、停電が復旧したと判定すると（ステップＳ２０３のＹｅｓ）、蓄電池１０３からの電力供給のオフ切替信号を送信する（ステップＳ２０４）。そして、送信制御部３０２は、ステップＳ２０１からの処理を繰り返し実行する。
【００５１】
また、送信制御部３０２は、停電が検知さていないとステップＳ２０１で判定すると（ステップＳ２０１のＮｏ）、振動センサ３０３からの揺れ検知信号に基づいて、揺れが検知されたか否かを判定する（ステップＳ２０５）。ここで、揺れが検知されたと判定すると（ステップＳ２０５のＹｅｓ）、送信制御部３０２は、蓄電池１０３からの電力供給のオン切替信号を送信する（ステップＳ２０６）。一方、揺れが検知されていないと判定すると（ステップＳ２０５のＮｏ）、送信制御部３０２は、ステップＳ２０１からの処理を繰り返し実行する。
【００５２】
また、送信制御部３０２は、オン切替信号の送信後、振動センサ３０３からの揺れ検知信号に基づいて、揺れが検知されることなく所定時間が経過したか否かを判定する（ステップＳ２０７）。ここで、所定時間が経過したと判定すると（ステップＳ２０７のＹｅｓ）、送信制御部３０２は、蓄電池１０３からの電力供給のオフ切替信号を送信する（ステップＳ２０４）。そして、送信制御部３０２は、ステップＳ２０１からの処理を繰り返し実行する。
【００５３】
（まとめ）
以上のように、本実施の形態における照明システム１０００は、照明装置１００と、照明装置１００を遠隔操作するためのリモコン装置３００とからなる。リモコン装置３００は、コンセントを介して商用電源Ｐの停電を検知する停電検知部３０５と、停電検知部３０５によって停電が検知された場合に、切替信号（具体的には、オン切替信号）を送信する送信制御部３０２とを備える。照明装置１００は、発光部１０１と、給電部１０２と、蓄電池１０３と、受信部１０６と、点灯制御部１０５とを備える。給電部１０２は、商用電源Ｐから供給される電力を受け付ける。蓄電池１０３は、商用電源Ｐによって充電される。受信部１０６は、蓄電池１０３からの電力に基づいて、リモコン装置３００からの切替信号（具体的には、オン切替信号）を受信する。また、点灯制御部１０５は、電力が商用電源Ｐから供給されている場合には、商用電源Ｐからの電力に基づいて発光部１０１を点灯させる。ここで、点灯制御部１０５は、電力が商用電源Ｐから供給されておらず、且つ、その切替信号が受信部１０６によって受信された場合には、蓄電池１０３からの電力に基づいて発光部１０１を点灯させる。
【００５４】
これにより、リモコン装置３００の停電検知部３０５は、コンセントを介して商用電源Ｐの停電を検知するため、壁スイッチ２００の状態に関わらず、商用電源Ｐの停電を適切に検知することができる。つまり、壁スイッチ２００がオフにされることによって停電を検知してしまうという誤検知を抑えることができる。したがって、停電したときには、照明装置１００は適切に点灯することができる。さらに、停電していないときには、商用電源Ｐによる点灯と消灯との切り替えを、ユーザによる壁スイッチ２００の操作に応じて、つまり、ユーザによる遠隔からの操作に応じて、行うことができる。
【００５５】
したがって、本実施の形態における照明装置１００は、例えば屋内の天井に設置されるランプとして用いることができるとともに、防災時に周囲の状況を人に分かりやすくするためにその周囲を照らし出す防災用のランプとして用いることができる。
【００５６】
また、本実施の形態では、リモコン装置３００は、図１に示すように、部屋Ａの照明装置１００Ａだけでなく、部屋Ｂの照明装置１００Ｂに対しても上述の切替信号を送信する。つまり、リモコン装置３００は、さらに、商用電源Ｐと蓄電池１０３との切り替えによって選択された電源から供給される電力に基づいて点灯する他の照明装置に対しても、上述の切替信号を送信する。
【００５７】
これにより、例えば複数の部屋のそれぞれに設置された、その部屋の壁スイッチ２００によって操作される照明装置１００を、１つのリモコン装置３００だけで操作することができる。つまり、停電になったときには、これらの照明装置１００を、１つのリモコン装置３００だけで点灯させることができる。したがって、１つのリモコン装置３００さえあれば、通常の照明装置を照明装置１００に置き換えるだけで、停電になったときに照らし出される範囲を簡単に広げることができる。
【００５８】
また、本実施の形態では、リモコン装置３００は、コンセントに差し込まれる差込プラグ３０６と、他の差込プラグを商用電源Ｐに接続するための少なくとも１つのプラグ受け３０７とを備える。差込プラグ３０６をコンセントに差し込めば、リモコン装置３００を、商用電源Ｐにコンセントを介して簡単に接続することができ、商用電源Ｐの停電の検知が常時可能な状態にさせておくことができる。また、リモコン装置３００がコンセントに差し込まれて、コンセントの差込口が塞がれていても、リモコン装置３００にはプラグ受け３０７が備えられている。したがって、他の機器の差込プラグを、そのプラグ受け３０７に差し込むことができる。その結果、他の機器は商用電源Ｐからの電力の供給を受けることができる。
【００５９】
また、本実施の形態では、リモコン装置３００は、揺れを検知する振動センサ３０３を備える。そして、送信制御部３０２は、振動センサ３０３によって揺れが検知されたときに、切替信号（具体的には、オン切替信号）を送信する。
【００６０】
これにより、例えば地震があったときは、リモコン装置３００は、上述の切替信号を照明装置１００に送信する。これにより、照明装置１００は、消灯していても、その切替信号を受信すると点灯する。したがって、地震があったときには、照明装置１００の周囲が自動的に照らし出されるため、周囲の状況をユーザに容易に認識させることができる。
【００６１】
また、本実施の形態では、照明装置１００は、さらに、煙を検知する煙センサ１０８を備える。そして、点灯制御部１０５は、煙センサ１０８によって煙が検知されたときに、発光部１０１を点灯させる。
【００６２】
これにより、停電していないときにも、例えば火災によって煙が発生している周囲が自動的に照らし出されるため、その周囲の状況を人に容易に認識させることができ、危険の回避に役立たせることができる。
【００６３】
また、本実施の形態では、照明装置１００は、さらに、揺れを検知する振動センサ１０９を備える。そして、点灯制御部１０５は、振動センサ１０９によって揺れが検知されたときに、発光部１０１を点灯させる。
【００６４】
これにより、停電していないときにも、例えば地震によって揺れが発生している周囲が自動的に照らし出されるため、その周囲の状況を人に容易に認識させることができ、危険の回避に役立たせることができる。
【００６５】
（その他の実施の形態）
上記実施の形態における照明装置１００は、停電、煙または揺れを検知したときに点灯したが、周辺にある機器からのアラーム音またはチャイムなどの音に応じて点灯、点滅または明滅してもよい。
【００６６】
図７は、アラーム音に応じて点灯する照明装置１００と複数の周辺機器とを示す図である。
【００６７】
複数の周辺機器は、例えば、いわゆるドアホンであるインターホン４０１と、目覚まし時計４０２と、電話４０３と、洗濯機４０４と、火災警報器４０５とからなる。なお、複数の周辺機器は、音を発する機器であれば、これら以外の機器であってもよい。
【００６８】
これらの複数の周辺機器のそれぞれは、その周辺機器から発せられた音に応じて、点灯への切り替えを指示する切替信号を照明装置１００に送信する通知部５００を備えている。具体的には、通知部５００は、音を検知する音センサ５０２と、切替信号を例えば赤外線で送信する送信部５０１とを備えている。音センサ５０２は、例えばマイクまたは音圧センサとして構成され、音を検知すると音検知信号を送信部５０１に出力する。送信部５０１は、その音検知信号を受けると、上述の切替信号を送信する。
【００６９】
照明装置１００は、これらの周辺機器から切替信号を受信すると点灯する。または、照明装置１００は、その切替信号を受信すると点滅あるいは明滅する。また、複数の周辺機器のそれぞれの通知部５００から送信される切替信号には、その切替信号を送信した周辺機器の識別情報が含まれていてもよい。照明装置１００は、このような識別情報が含まれた切替信号を受信すると、その識別情報に応じた態様で点灯する。つまり、照明装置１００は、複数の周辺機器のそれぞれに対して互いに異なる態様で点灯することができる。
【００７０】
例えば、インターホン４０１からチャイムが鳴ると、照明装置１００は、インターホン４０１の通知部５００から切替信号を受信する。したがって、照明装置１００は、来客があることを、点灯、点滅あるいは明滅などによってユーザに通知する。また、目覚まし時計４０２からアラーム音が鳴ると、照明装置１００は、目覚まし時計４０２の通知部５００から切替信号を受信する。したがって、照明装置１００は、例えば現在時刻が起床時刻であることを、点灯、点滅あるいは明滅などによってユーザに通知する。また、電話４０３から呼び出し音が鳴ると、照明装置１００は、電話４０３の通知部５００から切替信号を受信する。したがって、照明装置１００は、例えば着呼があったことを、点灯、点滅あるいは明滅などによってユーザに通知する。また、洗濯機４０４からアラーム音が鳴ると、照明装置１００は、洗濯機４０４の通知部５００から切替信号を受信する。したがって、照明装置１００は、例えば洗濯中に異常があったことを、点灯、点滅あるいは明滅などによってユーザに通知する。また、火災警報器４０５から警報音が鳴ると、照明装置１００は、火災警報器４０５の通知部５００から切替信号を受信する。したがって、照明装置１００は、例えば火災が発生したことを、点灯、点滅あるいは明滅などによってユーザに通知する。
【００７１】
このような照明装置１００では、各周辺機器からのアラーム音またはチャイムなどの音によるメッセージを、光によってユーザに通知することができる。つまり、ユーザは、各周辺機器からのメッセージを視覚的に知得することができる。
【００７２】
また、照明装置１００が、音センサ５０２を備えていてもよい。この場合、点灯制御部１０５は、音センサ５０２から音検知信号を受けると、発光部１０１の状態を消灯から点灯に切り替える。または、点灯制御部１０５は発光部１０１を点滅または明滅させる。このような照明装置１００では、周辺機器に通知部５００を備える必要がないため、音を発する機器であれば、どのような機器からの音に対しても点灯、点滅または明滅することができる。
【００７３】
上記実施の形態における照明装置１００は、防災用のランプとして用いることができる。そこで、防災時に、より便利に用いられるように、照明装置１００は、ランタンまたは懐中電灯としても用いられるように構成されていてもよい。
【００７４】
図８は、照明装置の外観構成の一例を示す図である。
【００７５】
照明装置１００ｎは、上述の照明装置１００の機能構成を備えるとともに、グローブ１８３、筺体１８１、給電部１０２、および複数の突起１８２とを備えた電球形ＬＥＤランプとして構成されている。
【００７６】
筺体１８１は、略筒状に形成され、上述の蓄電池１０３、充放電部１０３ａ、点灯制御部１０５、受信部１０６、煙センサ１０８および振動センサ１０９を囲う。
【００７７】
グローブ１８３は、開口部を有する中空の略半球状に形成された、上述の発光部１０１を覆う透光性カバーである。このグローブ１８３は、グローブ１８３の開口部と筺体１８１の開口部とが当接するように、筺体１８１に取り付けられている。発光部１０１から放出される光は、このグローブ１８３を介して照明装置１００ｎの外部に放たれる。
【００７８】
給電部１０２は、口金として構成され、筺体１８１のグローブ１８３と反対側の開口部から露出するように、その筺体１８１に取り付けられている。
【００７９】
複数の突起１８２はそれぞれ略棒状に形成されている。これらの突起１８２の一端（基端）は、筺体１８１に回動自在に取り付けられている。
【００８０】
以上のように照明装置１００ｎが構成されているため、通常時、つまり、壁スイッチ２００の操作に応じて照明装置１００ｎを点灯または消灯させるときには、照明装置１００ｎは、給電部１０２がソケットに嵌め込まれて使用される。また、停電時などの防災時には、照明装置１００ｎをソケットから取り外して、ランタンとして使用することができる。
【００８１】
つまり、通常時には、複数の突起１８２のそれぞれの基端と反対側の端（先端）をグローブ１８３側に寄せ、複数の突起１８２のそれぞれを筺体１８１の側面に沿わせる。これにより、複数の突起１８２に邪魔されることなく照明装置１００ｎをソケットに取り付けることができる。
【００８２】
一方、防災時には、照明装置１００ｎをソケットから取り外し、複数の突起１８２のそれぞれの先端を給電部１０２側に寄せる。そして、それらの突起１８２の先端を例えばテーブル、床、または地面などに当接させれば、グローブ１８３を上に向けた状態で照明装置１００ｎを安定して立てることができる。照明装置１００ｎは、蓄電池１０３からの電力によっても点灯するため、床などに立てられた状態で点灯することができる。したがって、照明装置１００ｎをランタンとして使用することができる。
【００８３】
図９Ａ〜図９Ｃは、照明装置の外観構成の他の例を示す図である。
【００８４】
照明装置１００ｍは、上述の照明装置１００ｎと同様に、照明装置１００としての機能構成を備えるとともに、グローブ１８３、筺体１８１、給電部１０２、および引掛け部１８４を備えた電球形ＬＥＤランプとして構成されている。
【００８５】
また、照明装置１００ｍにおける筺体１８１は、図９Ａおよび図９Ｂに示すように、第１の筺体１８１ａと、第２の筺体１８１ｂと、第３の筺体１８１ｃとからなり、伸縮自在に構成されている。
【００８６】
第１の筺体１８１ａは、略筒状に形成され、上述の蓄電池１０３、充放電部１０３ａ、点灯制御部１０５、受信部１０６、煙センサ１０８および振動センサ１０９を囲う。グローブ１８３は、グローブ１８３の開口部と第１の筺体１８１ａの開口部とが当接するように、第１の筺体１８１ａに取り付けられている。
【００８７】
第２の筺体１８１ｂおよび第３の筺体１８１ｃも、それぞれ略筒状に形成されている。第２の筺体１８１ｂの一方の開口部には、第３の筺体１８１ｃの一方の開口部が接続されている。第２の筺体１８１ｂの他方の開口部には、給電部１０２が露出するように取り付けられている。
【００８８】
このような第２の筺体１８１ｂは、図９Ａに示すように、第３の筺体１８１ｃが第１の筺体１８１ａの内部に挿入されて、第２の筺体１８１ｂの開口部が、第１の筺体１８１ａの開口部に当接するように、第１の筺体１８１ａに取り付けられる。
【００８９】
また、第２の筺体１８１ｂは、第１の筺体１８１ａに対して移動可能なように取り付けられている。つまり、第２の筺体１８１ｂは、図９Ｂに示すように、第１の筺体１８１ａから引き離し可能であって、引き離されたときには、第３の筺体１８１ｃが、露出した状態で、第１の筺体１８１ａと第２の筺体１８１ｂとをつなぐ。このように、筺体１８１は伸縮自在に構成されている。
【００９０】
また、引掛け部１８４は、略円弧状に形成され、その両端が第２の筺体１８１ｂに回動自在に取り付けられている。
【００９１】
以上のように照明装置１００ｍが構成されているため、通常時、つまり、壁スイッチ２００の操作に応じて照明装置１００ｍを点灯または消灯させるときには、照明装置１００ｍは、給電部１０２がソケットに嵌め込まれて使用される。また、停電時などの防災時には、照明装置１００ｍをソケットから取り外して、懐中電灯またはランタンとして使用することができる。
【００９２】
つまり、通常時には、筺体１８１を縮めた状態で引掛け部１８４をグローブ１８３側に寄せる。これにより、引掛け部１８４に邪魔されることなく照明装置１００ｍをソケットに取り付けることができる。
【００９３】
一方、防災時には、図９Ｂに示すように、照明装置１００ｍをソケットから取り外し、第２の筺体１８１ｂおよび第３の筺体１８１ｃを引き出して筺体１８１を延ばす。これにより、筺体１８１が握りやすくなるため、照明装置１００ｍを懐中電灯として用いることができる。または、図９Ｃに示すように、照明装置１００ｍをソケットから取り外し、引掛け部１８４を給電部１０２側に寄せる。これにより、引掛け部１８４を例えばフックなどに引掛けて照明装置１００ｍを吊るすことができ、照明装置１００ｍをランタンとして使用することができる。
【００９４】
以上、本発明の照明システムおよび照明装置について、実施の形態に基づいて説明したが、本発明は、実施の形態に限定されるものではない。本発明の主旨を逸脱しない限り、当業者が思いつく各種変形を本実施の形態に施したものや、実施の形態及び変形例における一部の構成要素を任意に組み合わせて構築される別の形態も、本発明の範囲内に含まれる。
【００９５】
例えば、上記実施の形態では、照明装置１００は電球型のランプとして構成されていたが、電球型と異なるタイプの照明装置であってもよい。また、上記実施の形態では、リモコン装置３００の送信制御部３０２は、Ｂｌｕｅｔｏｏｔｈ（登録商標）によって切替信号を送信したが、赤外線などの他の通信方式によって送信してもよい。
【００９６】
なお、上述の点灯制御部１０５、充放電部１０３ａ、充放電部３０４ａ、停電検知部３０５、受信部１０６、および送信制御部３０２は、それぞれ電子回路によって構成されている。
【符号の説明】
【００９７】
１００，１００Ａ，１００Ｂ    照明装置
１０１    発光部
１０２    給電部
１０３，３０４    蓄電池
１０５    点灯制御部
１０６    受信部
１０８    煙センサ
１０９，３０３    振動センサ
２００，２００Ａ，２００Ｂ    壁スイッチ
３００    リモコン装置
３０２    送信制御部（送信部）
３０６    差込プラグ
３０５    停電検知部
３０７    プラグ受け
Ｐ        商用電源
１０００    照明システム
【図１】
2020167150.tif 000003
【図２Ａ】
2020167150.tif 000004
【図２Ｂ】
2020167150.tif 000005
【図３】
2020167150.tif 000006
【図４】
2020167150.tif 000007
【図５】
2020167150.tif 000008
【図６】
2020167150.tif 000009
【図７】
2020167150.tif 000010
【図８】
2020167150.tif 000011
【図９Ａ】
2020167150.tif 000012
【図９Ｂ】
2020167150.tif 000013
【図９Ｃ】
2020167150.tif 000014